(57)【要約】      （修正有）【課題】潤滑油を機構部に注油する油差しにおいて、タンク内の油が、ねじの隙間から外部に流出しにくい状態とし、キャップの紛失を防ぐ油差し構成を提供する。【解決手段】ノズル（７）を必ずタンク外まである長さとし、タンク（５）内でノズル（７）についた油が流れにくいように輪状にヤスリ加工（８）し、ローレット付きのキャップ（３）の締結を両手の指で確実に行うことで、油漏れを防ぐよう構成される。【選択図】図２
2020204394.tif 000002
【特許請求の範囲】
【請求項１】
機械機構部の動作を円滑にするべく、潤滑油を機構部に注油するために使われる油差しで、油を入れるタンク（５）と、先端に雄ねじ（４）を有し尾部に抜止め（６）を有し油を導くためのパイプ形状のノズル（７）と、それを支える中子（２）と、タンク雄ねじ（１５）にねじ込んで固定する頭部（１）よりなる油差しの構成において、長く引出して使用するノズル（７）は、必ず最も短縮した時でも頭部（１）外に出る部分を１５ｍｍ以上を有する長さの保持部とし、タンク外に出る部分の周囲は、タンク（５）内でノズル（７）についた油が先まで流れにくいように輪状にヤスリ加工（８）し、ローレット（８）付きのキャップ（３）の取付けと取外しを作業者が両手の指を使って確実に行うことを可能とし、油もれを防ぐよう構成された油差し構成。
【請求項２】
［請求項１］の基本構成において、タンク（５）と頭部（１）の間にプレート（１４）を設け、ノズル雄ねじ（４）と同じ雄ねじ形状となるキャップ受け（９）を設けて、注油作業時に外すキャップ（３）の保管場所を設けたことを特長とした油差し構成。
【請求項３】
［請求項２］の基本構成において、タンク（５）と頭部（１）の間に、転がり防止の切欠き（１７）を有する大きな円板プレート（１６）を構成し、油差し本体が倒れた状態でも円板プレート（１６）が支えることによりノズル（７）の先端が必ず上方に向いた状態とすることで、タンク（５）内の油が外部に流出しにくい状態となり、切欠き（１７）により、本体の回り止めとすることを特長とした油差し構成。
【請求項４】
上記［請求項３］の基本構成において、キャップ（３）の先端に、キャップ（３）紛失防止用のコード（１８）の端部（１９）を止めねじ（２０）により、回動自在に装着し、他の端部は、円板プレート（１６）等に接続する構成として、キャップ（３）の紛失を防ぐようにした油差し構成。
【請求項５】
上記［請求項４］の基本構成において、コード（１８）の構成に代わって油差しタンク（５）底部に自動巻き取りコード（２１）を構成し、キャップ（３）の先端に回動自在に装着することで、長いノズル（７）となる場合でも対応し、かつキャップ（３）が外された状態では、自動巻き取りされることで、油差し作業の邪魔にならないようにタンク（５）本体底部に保管させることを特長とした油差し構成。
【請求項６】
上記［請求項４］の基本構成において、ノズル（７）の先端に長ナット（１１）を構成し、特に長いノズルを必要とする時は、別途用意した延長ノズル（１２）を長ナットで延長することで、長いノズルを得ることを可能にした油差し構成。
【請求項７】
上記［請求項６］の基本構成において、頭部（１）の先端に雄ねじを構成し、別途用意した長い絶縁パイプ（１３）を頭部（１）の雄ねじ（１０）で本体に装着することで、油差し作業時に感電等の事故を避けやすく構成できることを特長とした油差し構成。
【請求項８】
上記［請求項４］の基本構成において、ノズル（７）自体を長く構成し、ノズル上に位置決めのための目盛（２２）を構成したもの。
【発明の詳細な説明】
【技術分野】
【０００１】本発明は、機械的構成を有する機器へ円滑に潤滑油を注油するための油差しの改良に関する。
【背景技術】
【０００２】従来例を［図１］で示すが、一般的に油差しは、機器（９）の複雑な機構部の潤滑を円滑にするために狭い場所に的確に潤滑油を注油するために使われるもので、油を入れるタンク（５）と、細いパイプ形状で、使用時には長く伸ばせるノズル（７）とそれを支える中子（２）とタンク（５）に、ねじ等により固定される頭部（１）より構成される。【０００３】油差しを注油作業のために使用する際は、ノズル（７）の先端にあるキャップ（３）を外す必要があるが、ノズル（７）が収束時はタンク（５）内に入っており、中子（２）に支持されただけなので、しっかりと固定することができず、キャップ（３）が、抜けにくかったり、しっかり締められないため、タンク内の油が、漏れやすいという問題や、外したキャップ（３）の適当な保管場所がないため紛失しやすいという問題が生じる。
【発明の開示】
【発明が解決しようとする課題】
【０００４】油差しの構成で、油漏れの心配がなく、多様な注油条件での多様な使用方法に対応する油差しが必要となり、［図１］に従来の油差しの分解時（ａ）と組立時の形態（ｂ）を示すが、キャップ（３）の着脱時において、キャップ（３）には、ローレット（２３）があるのに、ノズルがしっかりと保持できないため、キャップ（３）を確実に締結できず、油漏れの心配があった。
【課題を解決するための手段】
【０００５】油差しのキャップ（３）の着脱時にしっかりと両手の指で締結することが可能な構成で、かつキャップ（３）の紛失防止も可能で、多様な作業条件に対応するべく機能的に構成された油差しの構成を提供する。
【発明を実施するための最良の形態】
【０００６】［請求項３］にある円板（１６）を有し、油差しが倒れた状態でもノズル（７）の先端が上を向くことで油の流出を防ぎ、外したキャップ（３）の保管場所があって、紛失防止となったものが最良の形態となる。
【発明の効果】
【０００７】本発明は、以上説明したように構成されているので、以下に記載されるような効果を奏する。
【０００８】キャップ（３）の着脱時に、ノズル（７）とキャップ（３）を個々に両手の指で保持して締結と解放ができるため、油漏れの心配が解消される。
【０００９】キャップ（３）に紛失防止のコード（１８）を取り付けることにより、キャップ（３）を紛失する危険性を回避できる。
【００１０】タンク（５）に大きな円板（１６）を取り付けることにより、キャップ（３）を外している状態で、油差しが倒れても、油漏れの心配がなく、円板に設けた切欠き（１７）により、本体の回り止めも可能となる。
発明の実施の形態を実施例にもとづき、図面を参照して説明する。
【００１１】［図２］で、ノズル（７）をタンク外まで伸びる長さとし、ヤスリ加工（８）を輪状に構成することで、キャップ（３）の着脱が両手の指でしっかりと保持できるようになり、かつ、タンク内の油に接したノズル（７）の表面からの油がノズル（７）全体に広がることの心配がなくなり、着脱時に手が汚れたり滑る心配もなくなる。
【００１２】［図３］で、キャップ受け（９）を用意することで、注油作業中のキャップ（３）の保管場所が確保されるので、キャップ（３）紛失の可能性が減少する。
【００１３】［図４］は、タンクに大きな円板プレート（１６）を追加することで、注油作業中に油差しが倒れることがあっても、ノズルが上方を向くため、油漏れの心配がなくなり、かつ切欠き（１７）により、油差し本体が転がるのも防ぐことができる。
【００１４】［図５］はキャップに、タンク本体との間の紛失防止コード（１８）を設けることで、キャップ（３）の紛失を完全に防ぐことができる。
【００１５】［図６］は、本発明の紛失防止コードにゼンマイ等を使った自動巻き取りを応用したもので、キャップ（３）保管のための作業が不要で、機能的に注油作業が可能となる。
【００１６】［図７］は、本発明で、より大型の機構部に注油する際に、ノズルの長さを継ぎ足し延長することで、機能的に高めた場合の応用例を示している。
【００１７】［図８］は、本発明で、高圧電気機器に適用する際に、絶縁パイプ（１３）を追加することで、注油する際に、感電事故が発生する危険性をへらすための応用例を示している。
【００１８】［図９］は、本発明の油差しで、大型機器に、注油する際に、ノズル（７）に目盛を追加することで、注油個所の位置決めを容易にした応用例を示している。
【産業上の利用可能性】
【００１９】本発明は、複雑な機構を有する機器係り、効率的保守のための注油方法に利用することができる。
【図面の簡単な説明】
【００２０】
【図１】従来の油差しの例について、分解時状態（ａ）と組立状態（ｂ）で表したものの説明図である
【図２】本考案の油差しについて、本考案の［請求項１］の分解状態（ａ）と組立状態（ｂ）の説明図である。
【図３】本考案のキャップ（３）の保管場所、キャップ受け（９）を設けた方法で、［請求項２］の詳細説明である
【図４】本考案の大きな円板プレート（１６）と切り欠き（１７）を設けた方法で、［請求項３］の詳細説明である
【図５】本案のキャップ（３）にコード（１８）を設けた方法で、［請求項４］の詳細説明である
【図６】本案の自動巻き取り機構（２１）を設けた方法で、［請求項５］の詳細説明である
【図７】本案の延長ノズル（１２）設けた方法で、［請求項６］の詳細説明である。
【図８】本案の絶縁パイプ（１３）を設けた方法で、［請求項７］の詳細説明である。
【図９】本案の長いノズル（７）に目盛（２２）を設けた方法で、［請求項８］の詳細説明である
【符号の説明】
【００２１】１頭部
２中子
３キャップ
４ノズル雄ねじ
５タンク
６抜止め
７ノズル
８ヤスリ加工
９キャップ受け
１０雄ねじ
１１長ナット
１２延長ノズル
１３絶縁パイプ
１４プレート
１５タンク雄ねじ
１６円板プレート
１７切欠き
１８コード
１９端部
２０止めねじ
２１自動巻取り機構
２２目盛
２３ローレット
【図１】
2020204394.tif 000003
【図２】
2020204394.tif 000004
【図３】
2020204394.tif 000005
【図４】
2020204394.tif 000006
【図５】
2020204394.tif 000007
【図６】
2020204394.tif 000008
【図７】
2020204394.tif 000009
【図８】
2020204394.tif 000010
【図９】
2020204394.tif 000011